(57)【特許請求の範囲】
【請求項１】
本体ケース（１）に肌用電極（２）とグリップ電極（３）とが設けてあり、肌用電極（２）とグリップ電極（３）とで肌面に電流を供給する美容器具であって、
肌用電極（２）が本体ケース（１）の一端に配置され、グリップ電極（３）が肌用電極（２）の近傍の本体ケース（１）の一端寄りに配置してあり、
少なくとも肌用電極（２）の外面が、本体ケース（１）に着脱可能に装着した保護キャップ（５）で覆ってあり、
肌用電極（２）が、美容用液を含浸する綿棒（１５）と、綿棒（１５）を固定保持する導電性のホルダー（１６）とで構成してあり、
肌用電極（２）を構成する綿棒（１５）が、軸部の両端に綿球部が形成してある市販の綿棒の軸部を切断して形成されており、
保護キャップ（５）に、市販の綿棒の切断位置を示す切断表示（２１）が設けてあることを特徴とする美容器具。
【発明の詳細な説明】
【技術分野】
【０００１】
本発明は、小鼻の周りなどの微細な汚れを落とし、あるいは保湿成分を浸透させて美容効果を高めるための美容器具に関する。
【背景技術】
【０００２】
本発明に係る美容器具に関して、たとえば特許文献１の美容器具が公知である。そこでは、グリップを兼ねる縦長の本体ケースと、本体ケースの前面上部に設けられる肌用電極と、肌用電極の外面に被せ付けた含液シートを押え保持するシートホルダーなどで美容器具を構成している。本体ケースの背面には、電源投入ボタンや、パルス電流の強弱を調整する切り換えボタンなどが設けてある。また、本体ケースの左右両側にはグリップ電極が露出させてある。肌用電極は裁頭円錐台状の突起からなり、その表面の接触面が、イオン導入・導出時の他方の電極を兼ねている。使用時には、肌用電極の外面に化粧水を含浸させた含液シートを被せ付け、シートホルダーでずれ動き不能に保持固定したのち、グリップ電極を握った状態で肌用電極を肌面に沿って摺動させる。
【先行技術文献】
【特許文献】
【０００３】
【特許文献１】特開２００９−１７２２４０号公報（段落番号００６０、図５）
【発明の概要】
【発明が解決しようとする課題】
【０００４】
特許文献１の美容器具によれば、イオン導入・導出作用によって、顔肌などの微細な汚れを落とし、あるいは保湿成分を肌に浸透させて美容効果を高めることができる。しかし、グリップを兼ねる本体ケースの前面上部に肌用電極を設け、本体ケースの中途部から下部にわたってグリップ電極を設けるので、肌用電極を自在に操作するのが難しい。とくに、小鼻の周りの入り隅状の肌面の細かな部分を手入れする際に、微妙な操作を行うことが難しい。
【０００５】
本発明の目的は、手入れすべき肌面の状況に応じて肌用電極を自在に移動操作でき、従って、入り隅状の肌面や目尻などの細かな部分の美容処理を的確に行なうことができる美容器具を提供することにある。
【課題を解決するための手段】
【０００６】
本発明に係る美容器具は、図１に示すように、本体ケース１に肌用電極２とグリップ電極３とが設けてあり、肌用電極２とグリップ電極３とで肌面に電流を供給しながら美容処理を行なう。肌用電極２を本体ケース１の一端に配置し、グリップ電極３を肌用電極２の近傍の本体ケース１の一端寄りに配置することを特徴とする。
【０００７】
グリップ電極３は、本体ケース１に肌用電極２の周囲を囲む状態で周回状に設ける。
【０００８】
グリップ電極３は、電極本体３３と、電極本体３３の外面を覆う導電性ゴム製の接触層３４とで構成する（図１参照）。
【０００９】
肌用電極２とグリップ電極３の外面を、本体ケース１に着脱可能に装着した保護キャップ５で覆う。
【００１０】
肌用電極２とグリップ電極３との間に、美容用液がグリップ電極３へ向かって流動するのを阻止する流動阻止部３７を設ける（図６参照）。
【００１１】
本体ケース１を上下に長い棒状に形成し、その上端に肌用電極２を設ける（図２参照）。
【００１２】
肌用電極２は、美容用液を含浸する綿棒１５と、綿棒１５を固定保持する導電性のホルダー１６とで構成する。美容用液とは、市販の化粧水、および美容液などからなる。
【００１３】
ホルダー１６に、綿棒１５の綿球部１８の周面と接触して、電流を綿球部１８へ供給する接触端子２４を設ける。
【００１４】
ホルダー１６は、綿棒１５の綿球部１８の周面と接触する接触端子２４と、綿棒１５の軸部１７を保持する軸保持部２３とを備えている。接触端子２４と軸保持部２３とは、弾性変形可能な導電材を素材にして一体に形成する。導電材としては、金属、導電性プラスチック、導電性ゴムなどを適用できる。
【００１５】
ホルダー１６の接触端子２４に、綿棒１５の綿球部１８に突き刺さる穿刺体４２を設ける（図８参照）。
【００１６】
本体ケース１の上端に、綿棒１５の軸部１７を受け入れる軸用穴１９と、綿球部１８の一部を受入れる綿球用穴２０とを設ける。綿球用穴２０の内奥に導電性のホルダー１６を配置し、ホルダー１６に綿棒１５の綿球部１８に突き刺さる穿刺体４２を設ける（図９参照）。
【００１７】
肌用電極２を構成する綿棒１５は、軸部の両端に綿球部が形成してある市販の綿棒の軸部を切断して形成する。保護キャップ５に、市販の綿棒の切断位置を示す切断表示２１を設ける（図２参照）。
【００１８】
肌用電極２は、美容用液を含浸する含液体１５と、含液体１５を固定保持するホルダー１６とで構成する。図１４および図１５に示すように、ホルダー１６は、複数のプラスチック製の保持要素４９Ａ・４９Ｂ・６２で構成されて、含液体１５を保持固定する保持姿勢と、含液体１５の保持を解除する開放姿勢とに、姿勢変更可能に構成する。少なくともひとつの保持要素４９Ａ・４９Ｂ・６２の内面に、パルス電流を含液体１５へ供給する接触端子２４を設ける。
【００１９】
ホルダー１６の内面に、含液体１５に突き刺さる保持爪５２・５４・６７を設ける。
【００２０】
保持爪５２・５４・６７は導電材で形成し、接触端子２４と導通する。
【００２１】
接触端子２４に保持爪５２・６７を一体に形成する。
【００２２】
図１４に示すようにホルダー１６は、断面半円状の一対の保持要素４９Ａ・４９Ｂで構成する。一対の保持要素４９Ａ・４９Ｂは、本体ケース１の中心軸と平行なヒンジ中心の回りに開閉自在に連結されて、含液体１５を保持固定する保持姿勢と、含液体１５の保持を解除する開放姿勢とに揺動開閉可能である。含液体１５は、美容用液を含浸できるシート材を丸棒状に巻込んで形成した含液棒で形成する。肌用電極２は、ホルダー１６と、ホルダー１６の内部に配置した接触端子２４と、含液棒１５とで構成する。
【００２３】
ホルダー１６を保持姿勢にロック保持するロック構造を設ける。ロック構造は、ホルダー１６の外面に外嵌して一対の保持要素４９Ａ・４９Ｂの開放動作を規制するロックリング５７と、ロックリング５７をロック位置において受止めるストッパー５８とを含む。ロックリング５７を、ロック位置からアンロック位置へスライド操作した状態において、一方の保持要素４９Ｂを開放して含液棒１５を着脱できる。
【００２４】
図１５に示すようにホルダー１６は、本体ケース１で上下スライド自在に支持した保持ベース６１と、下端が保持ベース６１に支持されて本体ケース１の内外方向へ拡縮変位できる複数個の保持要素６２と、本体ケース１に設けられて保持要素６２を縮小操作するカム面６３と、保持ベース６１を上下にスライド操作するスライドノブ６４とを含む。保持要素６２はスライドノブ６４で保持ベース６１を介して上下にスライド変位操作されて、保持要素６２が本体ケース１の外へ進出する開放姿勢と、保持要素６２が本体ケース１の内部に退入する保持姿勢とに切換え可能に構成する。保持要素６２の内面に、含液体１５に突き刺さる保持爪６７を設ける。
【発明の効果】
【００２５】
本発明においては、肌用電極２とグリップ電極３とでパルス電流を供給しながら肌面の美容処理を行なう美容器具において、肌用電極２を本体ケース１の一端に配置し、グリップ電極３を肌用電極２の近傍の本体ケース１の一端寄りに配置した。このように、グリップ電極３を肌用電極２の近傍に配置すると、例えば図５に示す美容器具においては、親指と人差し指と中指をグリップ電極３に密着した状態で、手入れすべき肌面の状況に応じて肌用電極２を自在に移動操作できる。また、図１０に示す美容器具においては、本体ケース１の球状周面を手のひらにあてがい、親指から小指に至る各指の指先をグリップ電極３に接触させて、手入れすべき肌面の状況に応じて肌用電極２を自在に移動操作できる。従って、本発明の美容器具によれば、入り隅状の肌面や目尻などの細かな部分の美容処理を的確に行なうことができる。
【００２６】
グリップ電極３を肌用電極２の周囲を囲む状態で周回状に設けると、グリップ電極３の任意の位置に指を接触すればよいので、本体ケース１の姿勢や握り位置を気にする必要がなく、従って美容器具の使い勝手を向上できる。
【００２７】
電極本体３３と導電性ゴム製の接触層３４とでグリップ電極３を構成すると、導電性ゴム製の接触層３４が指の滑止めとして機能するので、例えば金属製の電極本体のみでグリップ電極を構成する場合に比べて、グリップ電極３を確実に保持することができる。また、接触層３４は指先の触感を和らげるクッションとしても機能するので、美容器具の使用状態において本体ケース１を確りと保持して、美容器具の肌面に対する押付け力を微妙に調整することができる。
【００２８】
肌用電極２とグリップ電極３の外面を着脱可能な保護キャップ５で覆うようにすると、不使用状態において、塵埃などの異物が両電極２・３に付着するのを防止できるので、美容器具を衛生的な状態で収納し保管できる。
【００２９】
肌用電極２とグリップ電極３との間に流動阻止部３７を設けると、肌用電極２に装着した含液体１５含浸させた美容用液がグリップ電極３へ向かって流動するのを阻止して、肌用電極２とグリップ電極３とが短絡するのを防止できる。なお、両電極２・３が美容用液を介して短絡する状態では、イオン導入作用およびイオン導出作用の発揮が制限されるため、肌面の汚れの除去や、美容用液の肌への浸透が困難となる。
【００３０】
本体ケース１を上下に長い棒状に形成し、その上端に肌用電極２を設ける美容器具によれば、本体ケース１を鉛筆と同様の握り方で保持した状態で指先をグリップ電極３接触することができる。従って、肌用電極２を微妙に操作しながら肌の手入を行なうことができ、とくに小鼻周りの入り隅状の肌面や目尻部分などにおいて肌用電極２を緻密に操作して、汚れの除去や美容用液の浸透を的確に行える。また、鉛筆と同様の握り方で本体ケース１を保持するので、肌用電極２の肌面に対する押付け力を、肌面の部位の違いに応じて自在に調整することができる。
【００３１】
美容用液を含浸する綿棒１５と、綿棒１５を固定保持する導電性のホルダー１６とで肌用電極２を構成すると、美容用液が含浸された綿球部１８を肌面に接触して美容処理を行なえる。従って、小鼻周りの入り隅状の肌面や目尻部分などにおいて、体積が小さな綿棒１５を緻密に操作して、美容処理をさらに的確に行なうことができる。美容用液を含浸するための含液体として綿棒１５を利用するので、シート状の含液体を棒状に丸めて美容用液を含浸させる場合に比べて、含液体を所定の形状に整形する手間を省くことができる。さらに、肌用電極２に対する装着を簡便に行えるので、美容器具の使い勝手を向上できる。
【００３２】
ホルダー１６に接触端子２４を設けて、接触端子２４を介してパルス電流を綿球部１８へ供給すると、綿棒１５の綿球部１８と接触端子２４との接触状態を好適化して、パルス電流を綿球部１８へ効果的に供給して、綿球部１８と接触端子２４との間の通電効率を向上できる。接触端子２４は、綿棒１５がホルダー１６に過度に差込み装着されるのを防ぐ規制体としても機能して、ホルダー１６に対する綿棒１５の装填姿勢を好適化できる。
【００３３】
ホルダー１６を構成する接触端子２４と軸保持部２３を、弾性変形可能な導電材を素材にして一体に形成すると、ホルダー１６の構造が複雑化するのを解消して、その加工に要する手間を省いてコストを削減できる。
【００３４】
ホルダー１６の接触端子２４に、綿棒１５の綿球部１８に突き刺さる穿刺体４２を設けると、接触端子２４と綿球部１８との接触に加えて、綿球部１８に突き刺さる穿刺体４２によってもパルス電流を綿球部１８に供給でき、綿球部１８に対する通電効率をさらに向上できる。また、綿球部１８に突き刺さる穿刺体４２で綿棒１５を傾動不能に保持できるので、肌面から押付け反力を受けるような場合であっても、綿棒１５をより安定した状態で保持して美容処理を的確に行なえる。
【００３５】
綿球用穴２０の内奥に導電性のホルダー１６を配置し、ホルダー１６に設けた穿刺体４２を綿棒１５の綿球部１８に突き刺してパルス電流を供給すると、綿球部１８に含浸された美容用液を介して綿球部１８を正極状態、または負極状態に保持することができる。また、上記の穿刺体４２と同様に、綿棒１５を穿刺体４２で傾動不能に保持して、肌面から押付け反力を受けるような場合であっても、綿棒１５をより安定した状態で保持して美容処理を的確に行なえる。
【００３６】
肌用電極２を構成する綿棒１５は、軸部の両端に綿球部が形成してある市販の綿棒の軸部を切断して形成することができ、切断時に、保護キャップ５に設けた切断表示２１を目安にして市販の綿棒の切断することにより、切断された綿棒１５の上下長さを適正化できる。また、美容器具に適合した綿棒１５をより少ないコストで手軽に得ることができる。
【００３７】
保持姿勢と開放姿勢とに姿勢変更可能な複数の保持要素４９Ａ・４９Ｂ・６２でホルダー１６を構成すると、保持要素４９Ａ・４９Ｂ・６２を開放姿勢に切換えた状態で含液体１５をホルダー１６に対して着脱できる。従って、ホルダー１６に対する含液体１５の着脱を簡便に行える。また、保持要素４９Ａ・４９Ｂ・６２の内面に設けた接触端子２４を含液体１５の周面に接触させて、パルス電流を含液体１５へ確実に供給することができる。
【００３８】
ホルダー１６の内面に保持爪５２・５４・６７を設け、保持要素４９Ａ・４９Ｂ・６２を保持姿勢にした状態において、保持爪５２・５４・６７が含液体１５に突き刺さるようにすると、含液体１５がホルダー１６から抜出る向きの移動を阻止できる。同時に、含液体１５がホルダー１６の中心軸の回りに回転する動きを規制して、全体として含液体１５をホルダー１６で安定した状態で保持固定できる。従って、肌面から押付け反力を受けるような場合であっても、綿棒１５をより安定した状態で保持して美容処理を的確に行なえる。
【００３９】
保持爪５２・５４・６７を導電材で形成して接触端子２４と導通すると、接触端子２４と綿球部１８との接触に加えて、綿球部１８に突き刺さる保持爪５２・５４・６７によってもパルス電流を綿球部１８に供給でき、綿球部１８に対する通電効率をさらに向上できる。
【００４０】
接触端子２４に保持爪５２・６７を一体に形成すると、保持爪５２・６７を独立した部品として形成する場合に比べて、ホルダー１６の構造を簡素化して、その加工に要する手間を省いてコストを削減できる。
【００４１】
図１４に示すようにホルダー１６を、断面半円状の一対の保持要素４９Ａ・４９Ｂで構成すると、丸棒状に巻込んで形成した含液棒１５の大半の部分を保持要素４９Ａ・４９Ｂで抱持状に保持固定して、含液棒１５を確りと固定できる。また、一方の保持要素４９Ｂを開放姿勢にすることにより、含液棒１５のホルダー１６に対する着脱を簡便に行うことができるので、全体として美容器具の使い勝手を向上できる。
【００４２】
ホルダー１６を、ロックリング５７を含むロック構造保持姿勢にロック保持できるようにした美容器具においては、保持要素４９Ａ・４９Ｂで抱持した含液棒１５の弾性力によって、ロックリング５７をロック位置に位置保持できる。従って、ロックリング５７をロック位置に位置保持するための節動構造などを省くことができ、その分だけロック構造の構造を簡素化してコストを削減できる。
【００４３】
本体ケース１の内外方向へ拡縮変位する複数個の保持要素６２で含液体１５を固定するホルダー１６によれば、保持要素６２を上下スライド操作することで、含液体１５を固定保持し、あるいは保持状態を解除できる。また、含液体１５を固定保持した状態においては、各保持要素６２が拡開するのを、本体ケース１に設けたカム面６３で規制できる。さらに、保持要素６２の内面に設けた保持爪６７を含液体１５に突き刺して、含液体１５がホルダー１６の外へ抜け出るのを確実に防止できるので、全体として美容器具の使い勝手を向上できる。
【図面の簡単な説明】
【００４４】
【図１】本発明に係る美容器具のヘッド部の構造を示す縦断側面図である。
【図２】キャップを分離した状態の美容器具の側面図である。
【図３】各電極と基板の接続状態を示す説明図である。
【図４】図１におけるＡ−Ａ線断面図である。
【図５】美容器具の使用例を示す説明図である。
【図６】別の実施例に係る美容器具の縦断側面図である。
【図７】ホルダーの別の実施例を示す縦断側面図である。
【図８】ホルダーのさらに別の実施例を示す縦断側面図である。
【図９】ホルダーのさらに別の実施例を示す縦断側面図である。
【図１０】別の実施例に係る美容器具のキャップを分離した側面図である。
【図１１】さらに別の実施例に係る美容器具の側面図である。
【図１２】ヘッド部の構造を示す縦断側面図である。
【図１３】図１２におけるＢ−Ｂ線断面図である。
【図１４】ホルダーを開放した状態の斜視図である。
【図１５】ホルダーのさらに別の実施例を示す縦断側面図である。
【図１６】図１５に示すヘッド部の平面図である。
【図１７】ホルダーのさらに別の実施例を示す縦断側面図である。
【図１８】ホルダーのさらに別の実施例を示す縦断側面図である。
【図１９】ホルダーのさらに別の実施例を示す縦断側面図である。
【図２０】ホルダーのさらに別の実施例を示す縦断側面図である。
【図２１】さらに別の実施例に係る美容器具を示す正面図である。
【図２２】図２１に係る美容器具のキャップを分離した状態の側面図である。
【図２３】図２１に係る美容器具のロック構造を示す断面図である。
【図２４】図２１に係る美容器具の使用例を示す説明図である。
【発明を実施するための形態】
【００４５】
（実施例）  図１ないし図５は本発明に係る美容器具の実施例を示す。本発明における前後・左右・上下とは、図２に示す交差矢印と、矢印の近傍に表示した前後・左右・上下の表記に従う。図２において美容器具は、グリップを兼ねる本体ケース１を基体にして上下に長い棒状（ペンシル状）に形成してある。本体ケース１の上端には肌用電極２が設けてあり、その下部に肌用電極２の周囲を囲むグリップ電極３が無端リング状に設けてある。
【００４６】
肌用電極２とグリップ電極３が設けられるヘッド部４の外面は、保護キャップ５で覆われている。保護キャップ５の装着姿勢を保持するために、ヘッド部４の基端の周面に係合リブ６を設け、保護キャップ５の内面の開口寄りに係合リブ６と係合する溝７を周回状に形成している。図３に示すように、本体ケース１の内部には、電池８と制御基板９が収容してあり、制御基板９には、ケース前面のスイッチノブ１０で切換え操作されるスイッチ１１や、電流調整回路などが実装してある。符号１２は電池５を出入れするためのキャップであり、本体ケース１に対してねじ込み装着してある。
【００４７】
肌用電極２は、美容用液を含浸する綿棒（含液体）１５と、綿棒１５を固定保持する導電性のホルダー１６とからなる。綿棒１５は、軸部１７の一端に綿球部１８を備えており、綿球部１８に美容用液を含浸することができる。綿棒１５およびホルダー１６を収容するために、ヘッド部４の上端に綿棒１５の軸部１７を受け入れる軸用穴１９と、綿球部１８の下面を支持する綿球用穴２０とが設けてある。ホルダー１６は、軸用穴１９と綿球用穴２０の両者にわたって組付けてある。綿球用穴２０は、綿球部１８の下面形状に対応して下すぼまりテーパー状、即ちすり鉢状に形成してある。
【００４８】
図２に想像線で示すように、綿棒１５は軸部の両端に綿球部が形成してある市販の綿棒の軸部をユーザーが切断して形成することができる。切断された綿棒１５の上下長さを適正化するために、保護キャップ５の周面に周回溝からなる切断表示２１を設けている。ユーザーは、市販の綿棒の綿球部を保護キャップ５の上端面と面一にした状態で、軸部を切断表示２１の位置で切断することにより、肌用電極２を構成する綿棒１５を手軽に得ることができる。
【００４９】
ホルダー１６は、帯状の銅板をＵ字状に折り曲げて形成してあり、綿棒１５の軸部１７を保持する下半側の軸保持部２３と、軸保持部２３の一方の壁に連続して斜めに折曲げられる接触端子２４とを一体に備えている。軸保持部２３を構成するＵ字壁の対向面には、受止め部２５と押圧部２６とが膨出形成してあり、これら両者２５・２６が協同して軸部１７を挟持固定する。軸部１７を確実に挟持固定するために、自由状態における受止め部２５と押圧部２６との対向間隔は、軸部１７の直径寸法より小さく設定してある。押圧部２６は基本的に半円状に形成するが、その端部側の壁面を緩やかな湾曲面で形成して装填案内面２７としている。軸部１７を軸保持部２３に差し込み装填するとき、軸部１７の下端を装填案内面２７で案内することにより、押圧部２６側の壁面を弾性変形させながら、軸部１７を受止め部２５と押圧部２６との間に差込むことができる。
【００５０】
接触端子２４は、電流調整回路から出力されるパルス電流を綿球部１８へ供給するために設けてある。接触端子２４から綿球部１８へのパルス電流の供給を確実に行うために、接触端子２４は斜めに折り曲げられて、全体が先の綿球用穴２０に凹み形成した溝２８に嵌め込まれている。これにより、接触端子２４は綿球用穴２０と面一になっており、綿棒１５をホルダー１６に装填した状態では、綿球部１８の下周面が接触端子２４に密着する。ホルダー１６は、制御基板９に設けた電流調整回路の肌用電極２用のプラス側の出力リード３０に接続してあり、従って肌用電極２はプラスの極性となってイオン導出を行うことができる。また、極性を逆に切換えると先の出力リード３０がマイナス、他方の出力リード３１がプラスの極性となるので、肌用電極２をマイナスの極性にしてイオン導入を行うことができる。
【００５１】
グリップ電極３は、銅板を不完全円状の円筒体、つまり断面Ｃ字状に折曲げて形成した電極本体３３と、電極本体３３の外面全体を覆う導電性ゴムで形成した接触層３４とで、無端リング状に構成してある。電極本体３３はマイナス側の出力リード３１を介して電流調整回路に接続してある。グリップ電極３の上下幅は２〜３ｃｍに設定してあり、図５に示すように、美容器具を鉛筆と同様に握った状態において、親指、人差し指、中指のそれぞれをグリップ電極３に密着できる。導電性ゴム製の接触層３４は、それ自体が指先の滑止めとして機能し、さらに接触層３４に接触する指先の触感を和らげるクッションとしても機能するので、使用状態において本体ケース１を確りと保持できる。肌用電極２とグリップ電極３との間のヘッド部４の端部周面に、凹溝からなる流動阻止部３７を設けた（図１参照）。流動阻止部３７は、綿球部１８に含浸させた美容用液がグリップ電極３へ向かって流動しようとするのを阻止して、肌用電極２とグリップ電極３とが短絡するのを防止する。電極本体３３は、金属板材を打ち抜いて無端リング状に形成することができ、あるいは電鋳法で無端リング状に形成することができる。
【００５２】
美容器具は、以下に説明する要領で使用する。例えば、小鼻の周りの入り隅状の肌面の手入れを行う場合には、綿棒１５をホルダー１６に装填したのち、綿球部１８に美容用液を含浸させ、スイッチノブ１０を操作してスイッチ１１をオン状態に切換える。この状態で、本体ケース１を図５に示すように握って、利き手の指を接触層３４を介して電極本体３３に導通させ、鏡を見ながら綿球部１８を入り隅状の肌面に沿って繰返えし滑らせる。綿球部１８が肌面に密着している状態では、肌用電極２とグリップ電極３とが人体を介して導通し、微弱なパルス電流によってイオン導出作用を発揮する。そのため、入り隅部分や毛穴などに入り込んでいた汚れが、肌用電極２の綿球部１８に吸着される。美容用液を肌面に浸透させる場合には、肌用電極２とグリップ電極３に供給されるパルス電流の極性を逆にしてイオン導入を行う。
【００５３】
以上のように構成した美容器具によれば、本体ケース１を鉛筆と同様の握り方で保持できるので、綿球部１８を微妙に操作しながら肌の手入を行なうことができ、とくに小鼻周りの入り隅状の肌面や目尻部分などにおいて綿球部１８を緻密に操作して、汚れの除去や美容用液の浸透を的確に行える。また、鉛筆と同様の握り方で本体ケース１を保持するので、綿球部１８の肌面に対する押付け力を、肌面の部位の違いに応じて自在に調整することができる。
【００５４】
以下に、本発明に係る美容器具の別実施例を列挙するが、個々の別実施例における美容器具については、上記の実施例と異なる部分を主に説明し、上記の実施例と同じ部材には同じ符号を付してその説明を省略する。
【００５５】
図６に示す美容器具においては、肌用電極２とグリップ電極３との間のヘッド部４の周囲に流動阻止部３７を設けた。流動阻止部３７はフランジ状の周回壁で形成してあり、綿球部１８に含浸させた美容用液がグリップ電極３へ向かって流動するのを阻止して、肌用電極２とグリップ電極３とが短絡するのを防止する。流動阻止部３７を張出す必要上、ヘッド部４は上端へ向かって先すぼまりテーパー状に形成してある。なお、両電極２・３が美容用液を介して短絡する状態では、イオン導入・導出作用を発揮できないため、汚れの除去や、美容用液の肌への浸透を行なうことが困難となる。
【００５６】
図７は、ホルダー１６の構造を変更した実施例を示す。そこでは、ホルダー１６の軸保持部２３と接触端子２４のそれぞれを独立した部品で形成して、プラス側出力リード３０を接触端子２４に接続するようにした。この実施例における接触端子２４は銅板にプレス加工を施して下すぼまりテーパー状に形成してあり、接触端子２４の内面を綿球部１８の下周面に密着させて、パルス電流を綿球部１８へ確実に供給することができる。なお、この実施例における軸保持部２３は、導電性素材で形成する必要はなく、例えば、弾性に富むプラスチック材で形成して、軸部１７を挟持することができる。
【００５７】
図８におけるホルダー１６は、図７のホルダー１６と同様に軸保持部２３と接触端子２４のそれぞれを独立した部品で形成した。また、接触端子２４は銅を素材にして、綿球用穴２０に装填される筒部４０と、筒部４０の上開口の内面に形成される接触部４１と、筒部４０の内底に形成した４個の穿刺体４２とで構成した。穿刺体４２は上向きに尖らせてある。このホルダー１６によれば、綿球部１８に接触する接触部４１と綿球部１８に突き刺さる穿刺体４２とでパルス電流を綿球部１８へ供給できる。
【００５８】
図９においては、ホルダー１６を銅製のリング体で構成し、その上面に４個の穿刺体４２を一体に設けた。穿刺体４２は上向きに尖らせてある。ホルダー１６は、綿球用穴２０の内奥に固定してあり、綿棒１５をホルダー１６に装填した状態において、穿刺体４２が綿球部１８に突き刺さってパルス電流を綿球部１８へ供給する。また、軸用穴１９の内面の複数個所に、綿棒１５の軸部１７を支持する半球状の突起４３を設けた。この実施例におけるホルダー１６は、穿刺体４２を備えたリング体と、軸部１７を支持する突起４３とで構成してあり、突起４３は導電性を備えていないプラスチック材で形成してある。
【００５９】
図１０の美容器具は、本体ケース１を球体状に形成し、その上半部をヘッド部４として、ヘッド部４の上端に肌用電極２を設け、肌用電極２の周りを囲むようにグリップ電極３を設けた。本体ケース１のグリップ電極３の近傍の周面には、棒状の指掛部４４が突設してあり、この指掛部４４を人差し指と中指、あるいは中指と薬指とで挟むようにして、本体ケース１の球状周面を片手で握り持つことにより、美容器具を位置ずれすることもなく、安定した状態で確りと支持できる。この実施例では、美容用液を含ませる含液体１５として、綿シートあるいはガーゼを使用する。肌用電極２には、円形の接触端子２４と、同端子部２４を固定する端子ホルダー４５とが設けてある。シート状の含液体１５は、端子ホルダー４５と、同ホルダー４５に着脱されるキャップ４６との間に固定保持されて、接触端子２４の外面に密着する。キャップ４６の上面には、含液体１５を露出させるための窓４７が開口してある。本体ケース１の底部は平坦に形成してあり、この平坦部にスイッチノブ１０が設けてある。従って、本体ケース１を片手で握り持った状態において、手のひらがスイッチノブ１０に接触するのを防いで、スイッチノブ１０が誤って切換えられるのを防止できる。
【００６０】
この実施例においては、接触端子２４と、端子ホルダー４５と、キャップ４６の三者が、先の実施例におけるホルダー１６として機能する。肌用電極２とグリップ電極３との間のヘッド部４の周囲には、リブ状の流動阻止部３７が形成してある。美容器具を使用する場合には、電池８を収容する側の本体ケース１の球状周面を手のひらにあてがい、親指から小指に至る各指の指先をグリップ電極３に接触させて、美容用液が含浸してある含液体１５を肌面に沿って滑らせる。
【００６１】
図１１〜図１４に示す美容器具は、図１〜図５で説明した美容器具と同様に本体ケース１をペンシル状に形成するが、図１４に示すように、含液体としてシート材を丸棒状に巻込んで形成した含液棒（含液体）１５を使用する点が異なる。また、含液棒１５を使用するのに伴い、肌用電極２のホルダー１６の構造を以下のように変更する点が異なる。
【００６２】
ヘッド部４の上下寸法を小さくして、その上端に含液棒１５を抱持固定するホルダー１６を固定する。ホルダー１６は、ヘッド部４の上端に外嵌する筒基部４８と、筒基部４８に連続する断面半円状の保持要素４９Ａと、この保持要素４９Ａと協同して含液棒１５を抱持固定する断面半円状の保持要素４９Ｂと、保持要素４９Ａの内面に固定した接触端子２４とで構成する。一対の保持要素４９Ａ・４９Ｂは一体成形ヒンジ（ヒンジ）５０を介して連続している。これにより一対の保持要素４９Ａ・４９Ｂは、含液棒１５を保持固定する保持姿勢（図１２に示す状態）と、含液体の保持を解除する開放姿勢（図１４に示す状態）とに揺動開閉可能となる。一体成形ヒンジ５０のヒンジ中心は、本体ケース１の中心軸と平行になっている。
【００６３】
図１４に示すように、接触端子２４は、銅板またはアルミニウム板を断面半円状に折曲げて形成してあり、その内面には含液棒１５に突き刺さる三角形状の６個の保持爪５２が折起こしてある。一対の保持要素４９Ａ・４９Ｂを保持姿勢にした状態において、接触端子２４と対向する保持要素４９Ｂの内面には、接触端子２４と協同して含液棒１５を抱持固定する抱持体５３が設けてある。抱持体５３は、接触端子２４と同じ部品からなり、その内面には含液棒１５に突き刺さる三角形状の６個の保持爪５４が形成してある。図１２に示すように、電流調整回路の肌用電極２用の出力リード３０は、接触端子２４にのみ接続してある。必要があれば、抱持体５３にも出力リード３０を接続して、抱持体５３を接触端子２４として機能させることができる。
【００６４】
含液棒１５は、四角形状のコットンシートを図１３に示すように渦巻状に巻込んで形成され、一対の保持要素４９Ａ・４９Ｂを開放姿勢にした状態で、一方の保持要素４９Ａの内面に装填し、その棒端を筒基部４８の上面に接当して位置決めする。この状態で、他方の保持要素４９Ｂを閉じて保持姿勢にし、一対の保持要素４９Ａ・４９Ｂで含液棒１５を抱持固定する。この状態の含液棒１５の周面は、一対の保持要素４９Ａ・４９Ｂに抱持されて弾性変形しており、周面に突き刺さる保持爪５２・５４によって、ホルダー１６から抜出る方向への移動が規制されている。この状態の含液棒１５の一部はホルダー１６の上端から露出している。
【００６５】
上記のように、保持姿勢にした一対の保持要素４９Ａ・４９Ｂをロック保持するために、ホルダー１６の外面にロック構造を設けている。図１１および図１２に示すように、ロック構造は、ホルダー１６の外面に外嵌して保持要素４９Ｂの開放動作を規制するロックリング５７と、各保持要素４９Ａ・４９Ｂの外面に設けられるリブ状のストッパー５８とからなる。ロックリング５７は、その上端がストッパー５８に接当するロック位置と、筒基部４８に外嵌するアンロック位置との間をスライド変位できる。ロックリング５７は、保持要素４９Ｂを介して作用する含液棒１５の弾性力によって、ロック位置に位置保持される。
【００６６】
美容器具を使用するときは、図１２に示すようにホルダー１６に含液棒１５を装填したのち、美容用液を含液棒１５に含浸させ、本体ケース１を鉛筆と同様に握って、親指、人差し指、中指のそれぞれがグリップ電極３に密着する状態で、含液棒１５を肌面に沿って滑らせる。肌面に接触する含液棒１５の端面は略円形になっており、端面と周面とが交差する隅部はほぼ直角になっている。そのため、小鼻周りの入り隅状の肌面に含液棒１５の端部周縁を確実に接触させて、入り隅部分に付着している汚れや、毛穴内のよごれ、あるいは肌表面の角質などを含液棒１５に吸着することができる。
【００６７】
図１５および図１６は、図１〜図５で説明した美容器具と同様に含液体が綿棒１５である場合のホルダー１６の別実施例を示す。ホルダー１６は、保持ベース６１と、拡縮変位できる３個の保持要素６２と、綿球用穴２０の開口内面に設けたカム面６３と、保持ベース６１をスライド操作するスライドノブ６４と、保持ベース６１を押下げ付勢する圧縮コイル形のばね６５とで構成する。保持ベース６１は円盤状に形成されて、その周面にスライドノブ６４が一体化してあり、綿球用穴２０に案内されて上下にスライドできる。保持要素６２は、銅板あるいはアルミニウム板を素材とするプレス成形品からなり、縦長の腕６６と、腕６６の上端に形成される斜めの接触端子２４と、綿棒１５に突き刺さる保持爪６７とを一体に備えている。保持要素６２は、それぞれ腕６６の下端が保持ベース６１に設けたピン６８で支持されて、本体ケースの径方向の内外へ拡縮変位できる。保持爪６７は、綿球部１８の下端部の周面に突き刺さる。
【００６８】
図１５（ｂ）に示すように、ばね６５の付勢力に抗してスライドノブ６４を押上げ操作すると、３個の保持要素６２がヘッド部４の上方へ進出する。進出状態に切換わった３個の保持要素６２は、カム面６３による拘束が解除されるため、拡開操作して開放姿勢にすることができ、これに伴い保持爪６７を綿棒１５から分離して、綿棒１５をホルダー１６から取外すことができる。新たな綿棒１５の軸部１７を各保持要素６２の中央に差込んだのち、ばね６５の付勢力でスライドノブ６４を下降させると、各保持要素６２の腕６６がカム面６３に押されて縮小する向きに変位するので、保持爪６７は再び綿棒１５に突き刺さる。保持要素６２の全体が綿球用穴２０の内部に退入して保持姿勢に切換わった状態では、接触端子２４がカム面６３に密着して綿球部１８の下周面を面接触状に受止めている。従って、保持要素６２の少なくともひとつに、電流調整回路の肌用電極２用の出力リード３０を接続しておくことにより、綿棒１５にパルス電流を供給できる。
【００６９】
図１７〜図２０は、いずれもホルダー１６の別実施例を示しており、とくにホルダー１６の軸保持部２３の構造を変更する点が先の実施例と異なる。接触端子２４は筒部４０と、下すぼまりテーパー状の接触部４１とで筒状に構成してある。
【００７０】
図１７に示すホルダー１６の軸保持部２３は、固定挟持体７１と、同挟持体７１に向かって接離揺動する可動挟持体７２と、可動挟持体７２を接近付勢するばね７３と、ばね７３の付勢力に抗して可動挟持体７２を開放操作する操作具７４などで構成する。可動挟持体７２はピン７５で揺動自在に支持してあり、ピン７５より下側の受動片７６を操作具７４で押込み操作することにより、可動挟持体７２を開放操作して綿棒１５の軸部１７を軸保持部２３に着脱できる。固定挟持体７１および可動挟持体７２の対向面には、それぞれ鋸刃状の滑止め７７が形成してある。
【００７１】
図１８に示す軸保持部２３は、基本的に図１７で説明した軸保持部２３と同じであるが、可動挟持体７２の下端から受動片７６を横向きに突設する点と、受動片７６を上下にスライドする操作具７４で押下げ揺動して、可動挟持体７２を開放操作する点が異なる。他は図１７の軸保持部２３と同じであるので、同じ部材に同じ符号を付してその説明を省略する。以下の実施例においても同じとする。
【００７２】
図１９に示す軸保持部２３は、その可動挟持体７２の構造が図１７で説明した軸保持部２３と異なる。可動挟持体７２には操作レバー（操作具）７４が一体に設けてあり、操作レバー７４を押上げて可動挟持体７２をピン７５の回りに回転させることにより、綿棒１５の軸部１７を固定挟持体７１と可動挟持体７２とで挟持固定できるようにした。
【００７３】
図２０に示す軸保持部２３は、ヘッド部４で横スライド自在に支持したロック体７８と、ロック体７８をロック付勢するばね７３と、ロック体７８の上下に突設された２個の突起７９と、ロック体７８と一体に設けた操作具７４とで構成した。ロック体７８にはロック穴８０が上下に貫通形成してある。操作具７４をばね７３に抗して押込んだ状態で、ロック穴８０に綿棒１５の軸部１７を差込み、操作具７４の押込み力を解放すると、軸部１７がばね７３の付勢力で突起７９の側へ引寄せられるので、ロック穴８０の一端と突起７９とで軸部１７を挟持固定することができる。
【００７４】
図２１〜図２４は、美容器具のさらに別の実施例を示す。図２１および図２２において美容器具は、本体部８５と、本体部８５に対して着脱されるヘッド部８６とで構成してある。上下に長い本体部８５はグリップを兼ねており、その断面は、前後厚みに比べて左右幅が大きな四角形状に形成してある。本体部８５の左右両側にはグリップ電極８７が設けてあり、ヘッド部８６の前面には肌用電極８８が設けてある。本体部８５の内部には、２個の電池８９と制御基板９２などが収容してあり、制御基板９２には電流調整回路や、ケース前面のスイッチボタン９０・９１で切換え操作されるスイッチなどが実装してある。一方のスイッチボタン９０は電源投入用であり、他方のスイッチボタン９１は美容器具の運転モードを切換えるために設けてある。
【００７５】
この実施例の美容器具は、綿シートあるいはガーゼなどの美容用液を含ませる含液シート９３を使用して肌面の手入を行う。含液シート９３を肌用電極８８に密着する状態で固定するために、シート押え用のキャップ９４を設け、このキャップ９４を、肌用電極８８を固定する電極ホルダー９５に対して着脱できるようにしている。キャップ９４の前面には窓９６が開口してあるので、肌用電極８８を含液シート９３で覆ったのち、キャップ９４を電極ホルダー９５に圧嵌装着することにより、含液シート９３を肌用電極８８に密着させた状態で窓９６から露出させることができる。
【００７６】
従来のこの種の美容器具は、グリップを兼ねる本体ケースの左右両側にグリップ電極を設け、本体ケースの前面上部に肌用電極を設ける構造になっている。そのため、上腕や前腕の肌の手入を行う場合には、片手で握った美容器具の肌用電極を腕肌に接触させることになる。この状態のパルス電流は、美容器具を握り締めた腕と、胴上部と、手入の対象となる腕を介して導通することとなり、導通距離が大きい分だけ電気抵抗が大きくなるため、イオン導出作用、あるいはイオン導入作用を充分に発揮させるのが困難となる。こうした不具合を解消して、上腕や前腕の肌の手入を効果的に行うために、この実施例の美容器具では、ヘッド部８６を本体部８５に対して着脱できるようにしている。
【００７７】
ヘッド部８６を本体部８５に対して着脱するために、本体部８５の上端に連結部９７を凹み形成し、ヘッド部８６の下面側に連結部９７と嵌合する連結脚部９８を設けている。本体部８５に装着したヘッド部８６を分離不能にロック保持するために、本体部８５とヘッド部８６との間にロック構造を設けている。図２３に示すようにロック構造は、ロック体１００と、ロック体１００をロック付勢するロックばね１０１と、連結脚部９８の前壁および後壁に設けたロック穴１０２とで構成する。ロック体１００は、ロック穴１０２に係合するロック爪１０３と、解除ボタン（解除操作具）１０４とでＬ字状に構成してあり、全体が本体部８５で前後スライド自在に支持されて、解除ボタン１０４が本体部８５の前面上部に突出させてある。
【００７８】
グリップ電極８７と電流調整回路とは出力リード１０７を介して接続してあり、同様に肌用電極８８と電流調整回路とは出力リード１０８を介して接続してある。前者出力リード１０７は本体部８５の内面側からグリップ電極８７に接続するが、後者出力リード１０８は、本体部８５から引出すことができる長尺（５０ｃｍ）のリード線で形成してあって、本体部８５の内部に設けたリード収納構造に巻込み収納できるようにしてある。図２２においてリード収納構造は、出力リード１０８を巻込み収納するリール１０９と、リール１０９のリール軸を巻込み付勢するリールばね１１０を含んで構成する。
【００７９】
上記のように、ヘッド部８６を本体部８５に対して着脱できるようにした美容器具は、次の形態で実施できる。
【００８０】
グリップ電極８７および制御基板９２を備える本体部８５と、肌用電極８８を備えるヘッド部８６とを備えており、
グリップ電極８７および肌用電極８８は、それぞれ制御基板９２に設けた電流調整回路と出力リード１０７・１０８を介して接続されており、
ヘッド部８６と本体部８５とは着脱可能に連結されて、肌用電極８８と電流調整回路とを接続する長尺の出力リード１０８の長さの範囲内で、ヘッド部８６を本体部８５から離れた状態で肌面に接触できることを特徴とする美容器具。
【００８１】
上記のように、肌用電極８８を備えたヘッド部８６と、グリップ電極８７を備えた本体部８５とを着脱可能に連結し、肌用電極８８と電流調整回路とを長尺の出力リード１０８で接続すると、ヘッド部８６を本体部８５から離れた状態で肌面に接触させることができる。例えば、上腕や前腕などの肌の手入を行う場合には、肌の手入を行う側の手でグリップ電極８７を握り、本体部８５から分離したヘッド部８６を他方の手で握って、肌用電極８８を腕肌に接触することができる。従って、グリップ電極８７と肌用電極８８との間の導通距離を、最大でも上腕から手までの距離とすることができ、イオン導出作用、あるいはイオン導入作用を充分に発揮させて、汚れの除去や美容用液の浸透を的確に行える。また、図２４に示すようにヘッド部８６のみを腕肌に沿って操作すればよいので、ヘッド部８６を本体部８５と一体化した状態で美容処理を行なう場合に比べて、肌用電極８８を自在に操作することができる。
【００８２】
本体部８５とヘッド部８６との間に、本体部８５に連結したヘッド部８６を分離不能にロックするロック構造が設けられており、
ロック構造をロック解除操作する解除操作具１０４が、ヘッド部８６を本体部８５に連結した状態における、グリップ電極８７と肌用電極８８との間のケース外面に配置してある美容器具。解除操作具１０４は、押しボタン以外に、スライドノブ、あるいはレバーなどで構成することができる。
【００８３】
上記のように、グリップ電極８７と肌用電極８８との間のケース外面に解除操作具１０４が配置してあると、ヘッド部８６と本体部８５と一体化した状態で美容器具を使用するとき、解除操作具１０４が誤って解除操作されるのを解消できる。従って、美容器具による汚れの除去や、美容用液の浸透を確実に行える。
【００８４】
本体部８５が、前後厚みに比べて左右幅が大きな断面形状に形成されており、
本体部８５の左右両側にグリップ電極８７が配置され、本体部８５の前後面の少なくともいずれか一方に側に解除操作具１０４が配置してある美容器具。前後厚みに比べて左右幅が大きな断面形状としては、長方形、長方形の各角部が丸められた形状、および前後厚みに比べて左右幅が大きな楕円形、さらに前後面および左右綿がそれぞれ外膨らみ面で形成してある形状などがある。
【００８５】
本体部８５の左右両側にグリップ電極８７を配置し、本体部８５の前後面に解除操作具１０４を配置すると、ヘッド部８６を本体部８５と一体化した状態で美容器具を使用するとき、解除操作具１０４が誤って解除操作されるのをさらに確実に防止できる。これは、グリップ電極８７を手で握った状態において、対向間隔が大きな一対のグリップ電極８７に手の握力が作用し、握力が殆ど作用しない側に配置した解除操作具１０４が、グリップ電極８７を握った手の指で操作される可能性が充分に低いからである。
【００８６】
本体部８５とヘッド部８６のいずれか一方に、肌用電極８８用の出力リード１０８を巻込み収納するリール１０９を含むリード収納構造が設けてある美容器具。リード収納構造は、図２１に示すように本体部８５に設けるのが好適であるが、必要があればヘッド部８６に設けてもよい。
【００８７】
本体部８５の内部に、リール１０９を含むリード収納構造を設けると、不使用時の出力リード１０８を整然とリール１０９に巻取り収納できる。また、美容処理を行なう腕肌の部位に応じて、出力リード１０８を必要な長さだけ本体部８５から引出して、ヘッド部８６を肌面に接触できる。したがって、出力リード１０８が邪魔になるのを防止しながら、腕肌の美容処理を適切に行なえる。
【００８８】
リード収納構造が、リール１０９を巻込み付勢するリールばね１１０を含んで構成してあり、
ヘッド部８６を本体部８５から分離した状態において、出力リード１０８がリールばね１１０の付勢力で、常に巻込み収納される向きに引っ張り付勢してある美容器具。
【００８９】
本体部８５から引出した出力リード１０８を、リールばね１１０の付勢力で常に巻込み収納される向きに引っ張り付勢すると、美容処理が終了したのちリール１０９を巻込み操作する必要もなく、出力リード１０８を自動的にリール１０９に巻取り収納できる。従って、出力リード１０８を収納する手間を省いて、美容器具の収納を簡便に行える。また、ヘッド部８６を本体部８５に連結した状態においては、出力リード１０８に作用する引っ張り力でヘッド部８６を遊動不能に保持して、ヘッド部８６ががたつくのを防止できる。図２１〜図２４で説明した美容器具においては、ヘッド部８６の内部にバイブレータを備えることができ、その場合には出力リード１０８以外に、同リード１０８と同じ長さの給電リードを付加するとよい。
【００９０】
流動阻止部３７は溝または凹部で形成することができ、あるいは美容用液を含浸できるスポンジ、フェルトなどをヘッド部４に固定して流動阻止部３７とすることができる。美容器具は、イオン導入機能とイオン導出機能を備えていることが好ましいが、イオン導入機能だけ、あるいはイオン導出機能だけを備えている、単機能の仕様であってもよい。
【符号の説明】
【００９１】
１  本体ケース
２  肌用電極
３  グリップ電極
４  ヘッド部
１５  綿棒（含液体）
１６  ホルダー
１７  軸部
１８  綿球部
【図１】
0005730137.tif 000002
【図２】
0005730137.tif 000003
【図３】
0005730137.tif 000004
【図４】
0005730137.tif 000005
【図５】
0005730137.tif 000006
【図６】
0005730137.tif 000007
【図７】
0005730137.tif 000008
【図８】
0005730137.tif 000009
【図９】
0005730137.tif 000010
【図１０】
0005730137.tif 000011
【図１１】
0005730137.tif 000012
【図１２】
0005730137.tif 000013
【図１３】
0005730137.tif 000014
【図１４】
0005730137.tif 000015
【図１５】
0005730137.tif 000016
【図１６】
0005730137.tif 000017
【図１７】
0005730137.tif 000018
【図１８】
0005730137.tif 000019
【図１９】
0005730137.tif 000020
【図２０】
0005730137.tif 000021
【図２１】
0005730137.tif 000022
【図２２】
0005730137.tif 000023
【図２３】
0005730137.tif 000024
【図２４】
0005730137.tif 000025